(57)【要約】【課題】輝点黒点化修正を行った場合においても、表示品位および性能の低下を伴うことなく、電源構成の簡略化および消費電力の低減を図ることができる液晶表示装置およびその駆動方法を提供する。【解決手段】補助容量Ｃｃｓの電極に接続された容量電極と、コモン電極線１１に接続され画素電極１３と対向するコモン電極との間の電圧が、少なくとも、液晶層に印加される電圧に、ＴＦＴ２１周辺の寄生容量Ｃｇｄにより発生する画素電極１３の電圧変化分を加えた値を有するように、容量電極に電圧を供給するソースドライバアナログ電源回路６を備える。ソースドライバ２の出力電圧発生に用いられる２つの階調電圧は、一方は階調電源回路５に接続されており、他方は接地されている。【選択図】　図１
2004117753.tif 000002
【特許請求の範囲】
【請求項１】
各画素に、スイッチング素子と、該スイッチング素子に接続された画素電極と、液晶層を介して上記画素電極と対向し、該画素電極と共に液晶を駆動するコモン電極と、上記画素電極と共に上記スイッチング素子に一方の電極が接続され、液晶層に印加される電圧を保持する補助容量とを備えた液晶表示装置において、上記補助容量の他方の電極に接続された容量電極と上記コモン電極との間の電圧が、少なくとも、上記液晶層に印加される電圧に、上記スイッチング素子周辺の寄生容量により発生する上記画素電極の電圧変化分を加えた値を有するように、上記容量電極に電圧を供給する容量電源回路を備えることを特徴とする液晶表示装置。
【請求項２】
上記容量電源回路として、表示データを上記スイッチング素子に供給するためのソースドライバに電源電圧を供給する電源回路を用いることを特徴とする請求項１に記載の液晶表示装置。
【請求項３】
上記液晶層の電圧は、極性が１フレーム毎に反転し、かつ、極性反転の位相が１ドット毎に交互にずれることを特徴とする請求項１に記載の液晶表示装置。
【請求項４】
表示データを上記スイッチング素子に供給するためのソースドライバの出力電圧発生に用いられる階調電圧である高階調電圧を発生させる高階調電源回路と、上記階調電圧であり上記高階調電圧とは異なる低階調電圧を発生させる低階調電源回路とを備え、
上記低階調電源回路は接地され、
上記両階調電源回路は、交互に電圧を上記スイッチング素子に供給することを特徴とする請求項１に記載の液晶表示装置。
【請求項５】
スイッチング素子に接続された画素電極と液晶層を介して上記画素電極に対向するコモン電極とに電圧を印加することにより、上記画素電極とコモン電極との電位差により液晶を駆動する液晶表示装置の駆動方法において、
上記画素電極と共に上記スイッチング素子に一方の電極が接続された補助容量の他方の電極に接続された容量電極に、容量電極と上記コモン電極との間の電圧が、少なくとも、上記液晶層に印加される電圧に上記スイッチング素子周辺の寄生容量により発生する上記画素電極の電圧変化分を加えた値を有するように、電圧を供給することを特徴とする液晶表示装置の駆動方法。
【請求項６】
表示データを上記スイッチング素子に供給するためのソースドライバに電源電圧を供給すると共に、同じ電圧を、上記容量電極に供給することを特徴とする請求項５に記載の液晶表示装置の駆動方法。
【請求項７】
極性が１フレーム毎に反転し、かつ、極性反転の位相が１ドット毎に交互にずれるように、上記液晶層に電圧を印加することを特徴とする請求項５に記載の液晶表示装置の駆動方法。
【請求項８】
スイッチング素子が破壊されて黒表示時に輝点が発生したときには、上記液晶層に、上記容量電極と上記コモン電極との電位差をもたせることで、上記輝点を黒点化することを特徴とする請求項５に記載の液晶表示装置の駆動方法。
【発明の詳細な説明】
【０００１】
【発明の属する技術分野】
本発明は、輝点を黒点化する液晶表示装置およびその駆動方法に関するものである。
【０００２】
【従来の技術】
近年、ワードプロセッサやパーソナルコンピュータなどのＯＡ機器や、携帯電話や電子手帳等の携帯情報機器等には、アクティブマトリクス液晶表示装置（ＬＣＤ：Ｌｉｑｕｉｄ　Ｃｒｙｓｔａｌ　Ｄｉｓｐｌａｙ）がよく用いられている。
【０００３】
この液晶表示装置は、任意の画像を表示するため、マトリクス状にドットを並べたドットマトリクス型の電極構成をしている。
【０００４】
図１０に示すように、液晶表示装置を駆動するにあたり、ゲートドライバ１１３からは走査信号が走査線Ｇ１０１・Ｇ１０２…に供給される。また、ソースドライバ１１２からはデータ信号が信号線Ｓ１０１…に供給される。
【０００５】
供給されたデータ信号は、走査信号によってＯＮ／ＯＦＦがコントロールされるＴＦＴ（ｔｈｉｎ　ｆｉｌｍ　ｔｒａｎｓｉｓｔｏｒ）１２１を介して画素容量Ｃｌｃと補助容量Ｃｃｓとに書き込まれ画素電圧となる。この画素電圧と、対向するコモン電極の電圧（コモン電圧）との差によって、液晶は画像を表示する。なお、書き込まれたデータ信号は、次の走査信号が供給されるまで保持される。
【０００６】
また、ＴＦＴのゲート電極は走査線Ｇ…に、ソース電極は信号線Ｓに、ドレイン電極は画素容量Ｃｌｃの一方の電極と補助容量Ｃｃｓの一方の電極とに接続されている。さらに、画素容量Ｃｌｃの他方の電極はコモン電極線１３１に、補助容量Ｃｓの他方の電極は補助容量電極線１３２に接続されている。
【０００７】
また、液晶は直流電圧で駆動すると寿命が短くなること等から、交流電圧で駆動することが必要となる。この場合、液晶にかかる電圧の極性は、１フレーム毎に反転する。そしてさらに、フリッカーや輝度傾斜を抑制するため、１水平線毎に位相をずらす方式（Ｈライン反転駆動法）、１垂直線毎に位相をずらす方式（Ｖライン反転駆動法）、あるいは、１ドット毎に交互に位相をずらす方式（ドット反転駆動法）等、各画素の極性反転の位相をずらす駆動法を採用している。
【０００８】
ここで、フレームとは、全ての走査線を順次、上から下へ走査していき、１画面の表示が１回終了するまでの期間をさす。また、コモン電極の電位Ｖｃｏｍは、奇数目フレームと偶数目フレームとにおいて、液晶層に印加される電圧が実効的に等しくなるように設定される。
【０００９】
ところで、例えば、ノーマリーホワイト型であり、偏光板を用いるＴＮ（ｔｗｉｓｔｅｄ　ｎｅｍａｔｉｃ）液晶の場合、ＴＦＴが破壊により非導通となると、画素容量には電圧が印加されず、液晶は偏光板が光を遮光する方向に光を偏光できない。このため、黒表示させた場合、破壊したＴＦＴが存在する画素だけが光を透過させた状態となり、これが輝点となる。
【００１０】
このような液晶に電圧が印加されない状態の輝点は、黒表示等の暗い画面を表示させた場合に非常に目立つこととなり、製品の価値を下げることとなる。
【００１１】
この輝点を黒点化させるために、ＴＦＴ１２１のドレイン電極と、画素容量Ｃｌｃおよび補助容量Ｃｃｓを結ぶ配線とをレーザで切断し、ＴＦＴ１２１のドレイン電極と補助容量Ｃｃｓとをショートさせることにより、画素容量ＣｌｃにはＶｃｏｍ・Ｖｃｓ間の電位差を持たせる。
【００１２】
これにより、ＴＦＴ１２１が破壊した場合であっても、画素容量Ｃｌｃには常にある任意の電圧が印加されることとなり、輝点にはならない。任意の電圧として、例えば、透過率が０％で黒表示となるＶｓｍａｘの電圧に近い電圧（輝点が目立たなくなる電位）が画素容量Ｃｌｃに印加されるように、Ｖｃｓ・Ｖｃｏｍ間の電位差を信号線Ｓからの出力電圧Ｖｓｍａｘ（１／２（ＶｓｍａｘＨ−ＶｓｍａｘＬ））に近い電位差かそれ以上の電位差に設定する。
【００１３】
ここで、ＴＦＴ１２１近傍には、図１０に示すように、ゲート・ドレイン間に、寄生キャパシタであるＣｇｄが存在する。従って、非選択期間での画素電極１２２は寄生キャパシタＣｇｄを通して他の電極からの影響を受けることとなる。この影響により変化する電圧変化ΔＶは、ゲート・ドレイン間の寄生容量Ｃｇｄと、画素容量Ｃｌｃ＋補助容量Ｃｃｓとの分圧比で決定され、即ち、ΔＶ＝（Ｖｇｈ−Ｖｇｌ）（Ｃｇｄ／（Ｃｌｃ＋Ｃｃｓ＋Ｃｇｄ））で表される。
【００１４】
以下、上述した液晶表示装置の駆動回路について説明する。
【００１５】
図１０に示すように、液晶表示装置は、映像データ処理回路１１４（コントロールＩＣ）、階調電源回路１１５・１１９（ＶｓｍａｘＨ・ＶｓｍａｘＬ）、ソースドライバアナログ電源回路（アナログ電源回路−Ｓ、Ｖａ電源）１１６、ゲートドライバアナログ電源回路（アナログ電源回路−Ｇ、ＶｇＨ、ＶｇＬ電源）１１７、および、Ｖｃｏｍ電源回路１１８を備えている。
【００１６】
例えば、信号線Ｓ１０１を用いて考えると、黒画面単色表示の場合、液晶が入射光を偏光し偏光板が十分入射光を遮光するような電圧をＶｓｍａｘとすると、階調電源回路１１５・１１９から、図１１に示すように、信号線Ｓ１０１にソースドライバ１１２よりＶｓｍａｘＨ（Ｈｉｇｈ側のＶｓｍａｘ）およびＶｓｍａｘＬ（Ｌｏｗ側のＶｓｍａｘ）の電圧が、任意の水直期間に交互にＴＦＴ１２１のソース電極に印加されることとなる。
【００１７】
ソースドライバ１１２は、アナログ電源回路−Ｓ１１６から、電源電圧（Ｖａ、モジュール駆動電源出力）が供給される。ゲートドライバ１１３は、アナログ電源回路−Ｇ１１７から、ＶｇＨ（ＴＦＴ１２１をОＮするために走査線Ｇに印加する電圧、モジュール駆動電源出力）・ＶｇＬ（ＴＦＴ１２１をОＦＦするために走査線Ｇに印加する電圧、モジュール駆動電源出力）が供給される。
【００１８】
Ｖｃｏｍ電源回路１１８は、コモン電極線１３１に、（ＶｓｍａｘＨ＋ＶｓｍａｘＬ）／２−△Ｖの電圧（モジュール駆動電源出力）を印加する。即ち、液晶層におけるコモン電極線１３１側の電位Ｖｃｏｍは、（ＶｓｍａｘＨ＋ＶｓｍａｘＬ）／２−△Ｖとなる。
【００１９】
補助容量電極線１３２には、以前はコモン電極線１３１と同じ電圧を入力していたが、現在では、輝点となった画素１２２をレーザ修正により黒点化し、表示品位の向上を図るため、補助容量Ｃｃｓにおける補助容量電極線１３２側の電位Ｖｃｓを接地（ＧＮＤレベルに）している。これにより、補助容量電極線１３２の電位Ｖｃｓ用の新たな電源を生成しなくてすむ。
【００２０】
また、従来、コモン電極線に２値のある任意の電圧を印加する液晶表示装置もある。これにより、コモン電極線出力回路の出力が２値ですむため、出力回路の構成が簡単になる。なお、ここで用いる電源回路は、任意の複数の電圧値を選択して補助容量に印加する（例えば、特許文献１参照）。
【００２１】
あるいは、例えば第４行（端の行）の各画素における補助容量の一方の電極を、最終行帰線ラインを介して信号線に接続する表示装置もある。これにより、一方側に隣接する行のない端の行についても、補助容量の一方の電極に走査信号を印加することができ、画素電極の駆動電圧の実行値を他の行の液晶容量と同じにすることができる。従って、最終行帰線ライン専用の電源回路を設ける必要はない（例えば、特許文献２参照）。
【００２２】
また、液晶容量に印加される電圧を考慮して、液晶容量におけるコモン電極側の電極に任意の複数の電圧を供給し、ＴＦＴ以外の内部スイッチ素子を用いて補助容量の電荷と液晶容量のコモン電極側に印加される電圧を調整する液晶表示装置もある。これにより、補助容量から液晶容量へ電荷を移動させ、ＴＦＴ自体の耐圧に対する実印加電圧を下げることができる（例えば、特許文献３参照）。
【００２３】
【特許文献１】
特開２００１−８３９４３号公報（２００１年３月３０日公開）
【００２４】
【特許文献２】
特開平８−４３７９３号公報（１９９６年２月１６日公開）
【００２５】
【特許文献３】
特開２００１−９１９７３号公報（２００１年４月６日公開）
【００２６】
【発明が解決しようとする課題】
しかしながら、輝点黒点化修正を行う場合、図１０に示すように、補助容量Ｃｃｓにおける補助容量電極線１３２側の電位ＶｃｓをＧＮＤとした場合、黒表示にて修正画素を目立たなくするため（黒点化）には、コモン電極線１３１・補助容量電極線１３２間（Ｖｃｏｍ・Ｖｃｓ間）の電位差に、黒表示時の液晶印加電圧Ｖｓｍａｘ、即ち１／２（ＶｓｍａｘＨ−ＶｓｍａｘＬ）に近い電位差を与えなければならない。
【００２７】
従って、電位ＶｃｓがＧＮＤの場合、コモン電極の電位Ｖｃｏｍは、Ｖｓｍａｘ＋ＧＮＤの電位に固定されてしまう。
【００２８】
ここで、上述したように、走査線Ｇの電圧変動により、ＴＦＴ１２１のドレイン電極側が、寄生容量Ｃｇｄの影響を受けて△Ｖ分電圧がシフトする。このため、コモン電位Ｖｃｏｍが固定となると、△Ｖ分のシフト電圧分、ソース電極からの出力電圧（黒表示時にはＶｓｍａｘＨ、ＶｓｍａｘＬ）を△Ｖ分高く設定しなければならない。従って、ソースドライバ１１２のアナログ電源（Ｖａ）も、ＶｓｍａｘＨ＋△Ｖを出力するために△Ｖ分高い電圧を生成できる電源にする必要がある。
【００２９】
ところで、液晶表示装置の表面輝度の向上・高精細化が進む現状にあっては、パネル１１１を透過する光の透過率を上げるために、補助容量電極線１３２の細線化と、ＴＦＴ１２１の小型化とが要望される。また、補助容量電極線１３２の細線化は、補助容量Ｃｃｓの容量の減少を招来し、ＴＦＴ１２１の小型化は、ＴＦＴ１２１のＯＮ時にＴＦＴ１２１の抵抗成分を下げる必要がある。従って、ＶｇＨの電位を高くする必要があり、△Ｖは大きくなる。
【００３０】
このとき、ソースドライバ１１２およびパネル１１１が消費する電力Ｗは、Ｗ＝（Ｖａ＋ΔＶ）×Ｉａとなり、表示品位の向上と引き換えに消費電力が増大する。
【００３１】
また、携帯情報端末等から液晶表示装置に供給されるＤＣ電源は、通常Ｖａ電圧の半分以下程度であり、その供給電源からＶａ電圧を変換生成する際の効率が悪くなる。
【００３２】
さらに、階調電源回路１１９についても、ＧＮＤとすることができないので、階調電源回路１１５とは別個に電源回路を設ける必要がある。
【００３３】
このように、ドット反転駆動を行う液晶表示装置において、輝点黒点化修正のため、補助容量ＣｃｓのＶｃｓ側電極に印加される電圧を接地（ＧＮＤ）していることにより、電源回路構成規模の拡大や消費電力の増大といった問題が生じている。
【００３４】
また、特許文献１に記載の液晶表示装置は、あるゲートラインから液晶層に印加される電圧極性を全て同極性にする必要がある。即ち、ライン反転駆動でしか使用できず、隣り合う画素電極に印加される電圧の極性が異なるようなドット反転駆動には適用できない。
【００３５】
特許文献２に記載の表示装置は、走査線を補助容量の一方の電極として用いるＣｓ　ｏｎ　Ｇａｔｅとよばれる回路を用いている。従って、走査線へは通常、ＴＦＴのＯＦＦ時にＶｓ・ＶｇＬ（走査線への電圧・信号線への電圧）間の電位差が−５〜−１０Ｖ程度となるように電圧を印加する必要がある。このような場合、印加する電圧を選ばなければならない。即ち、例えば、ソースドライバアナログ電源からソースドライバに供給されるＶａと同電位にすると、Ｖｓ・ＶｇＬ間の電位差が＋５Ｖになり、ＴＦＴを十分ＯＦＦすることができず、液晶容量Ｃｌｃが電荷を保持できない。
【００３６】
特許文献３に記載の液晶表示装置は、ＴＦＴ自体の耐圧に対する実印加電圧を下げるものであり、駆動電源における電源構成の簡略化を図るものではない。
【００３７】
本発明は、上記の問題点に鑑みてなされたものであり、その目的は、輝点黒点化修正を行った場合においても、表示品位および性能の低下を伴うことなく、電源構成の簡略化および消費電力の低減を図ることができる液晶表示装置およびその駆動方法を提供することにある。
【００３８】
【課題を解決するための手段】
本発明の液晶表示装置は、上記の課題を解決するために、各画素に、スイッチング素子と、該スイッチング素子に接続された画素電極と、液晶層を介して上記画素電極と対向し、該画素電極と共に液晶を駆動するコモン電極と、上記画素電極と共に上記スイッチング素子に一方の電極が接続され、液晶層に印加される電圧を保持する補助容量とを備えた液晶表示装置において、上記補助容量の他方の電極に接続された容量電極と上記コモン電極との間の電圧が、少なくとも、上記液晶層に印加される電圧に、上記スイッチング素子周辺の寄生容量により発生する上記画素電極の電圧変化分を加えた値を有するように、上記容量電極に電圧を供給する容量電源回路を備えることを特徴としている。
【００３９】
上記の構成によれば、補助容量の他方の電極に接続された容量電極とコモン電極との間の電圧（Ｖｃｓ−Ｖｃｏｍ）が、少なくとも、液晶層に印加される電圧（Ｖｃｌｃ）に、スイッチング素子周辺の寄生容量により発生する画素電極の電圧変化分（ΔＶ）を加えた値を有することにより、輝点黒点化修正を行った場合においても、表示品位および性能の低下を防止することができる。
【００４０】
また、容量電極とコモン電極との間の電圧に、画素電極の電圧変化分が考慮されているため、スイッチング素子にデータ信号を供給するための信号線の電圧（コモン電極の電位よりもＬｏｗ側、ＶｓｍａｘＬ）を基準に電源構成を設計することができる。従って、ＶｓｍａｘＬの電源としてＧＮＤを用いることができ、電源回路を削減することができる。
【００４１】
さらに、容量電極とコモン電極との間の電圧に、画素電極の電圧変化分が考慮されているため、スイッチング素子に表示データを供給するための信号線の電圧を、電圧変化分、高めに設定する必要がない。従って、例えば、信号線に電圧を供給するためのソースドライバを駆動するための電源電圧（Ｖａ）も、電圧変化分、高めに設定する必要がない。この結果、ソースドライバの消費電力の低減を図ることができる。
【００４２】
また、通常、液晶表示装置に供給されるＤＣ電源は、ソースドライバを駆動するための電源電圧（Ｖａ）の半分以下である。しかしながら、電源電圧（Ｖａ）を、電圧変化分、高めに設定する必要がないため、電圧変換率が良好になり、電源回路の効率の向上を図ることができる。
【００４３】
さらに、信号線の電圧を、電圧変化分、高めに設定する必要がないことにより、例えば、スイッチング素子を走査する走査線をＯＮするのに必要な電圧（ＶｇＨ）と、信号線に供給される電圧（Ｖｓ）との差は、この電圧変化分、大きくすることができる。従って、スイッチング素子を十分にＯＮできる電圧を確保することができ、スイッチング素子のオン電流（Ｉｏｎ）を大きくすることができる。
【００４４】
上記の液晶表示装置は、容量電源回路として、表示データをスイッチング素子に供給するためのソースドライバに電源電圧を供給する電源回路を用いることが好ましい。
【００４５】
上記の構成によれば、容量電源回路を別途設けるのではなく、容量電源回路としてソースドライバに電源電圧を供給する電源回路を用いることにより、電源回路を削減することができる。従って、電源構成の簡略化を図ることができる。
【００４６】
上記の液晶表示装置は、液晶層の電圧の極性が１フレーム毎に反転し、かつ、極性反転の位相は１ドット毎に交互にずれることが好ましい。
【００４７】
上記の構成によれば、ドット反転駆動法を用いることができ、フリッカーや輝度傾斜を防止することができる。従って、表示品位の低下を伴うことなく、電源構成の簡略化および消費電力の低減を図ることができる。
【００４８】
上記の液晶表示装置は、表示データをスイッチング素子に供給するためのソースドライバの出力電圧発生に用いられる階調電圧である高階調電圧（ＶｓｍａｘＨ）を発生させる高階調電源回路（階調電源回路）と、階調電圧であり高階調電圧とは異なる低階調電圧（ＶｓｍａｘＬ）を発生させる低階調電源回路とを備え、低階調電源回路は接地（ＧＮＤ）され、両階調電源回路は、交互に電圧を上記スイッチング素子に供給することが好ましい。
【００４９】
上記の構成によれば、低階調電源回路を削減することができ、電源構成の簡略化を図ることができる。
【００５０】
本発明の液晶表示装置の駆動方法は、上記の課題を解決するために、スイッチング素子に接続された画素電極と液晶層を介して上記画素電極に対向するコモン電極とに電圧を印加することにより、上記画素電極とコモン電極との電位差により上記液晶を駆動する液晶表示装置の駆動方法において、上記画素電極と共に上記スイッチング素子に一方の電極が接続された補助容量の他方の電極に接続された容量電極に、容量電極と上記コモン電極との間の電圧が、少なくとも、上記液晶層に印加される電圧に上記スイッチング素子周辺の寄生容量により発生する上記画素電極の電圧変化分を加えた値を有するように、電圧を供給することを特徴としている。
【００５１】
上記の方法によれば、補助容量の他方の電極に接続された容量電極とコモン電極との間の電圧（Ｖｃｓ−Ｖｃｏｍ）が、少なくとも、液晶層に印加される電圧（Ｖｃｌｃ）に、スイッチング素子周辺の寄生容量により発生する画素電極の電圧変化分（ΔＶ）を加えた値を有することにより、輝点黒点化修正を行った場合においても、表示品位および性能の低下を防止することができる。
【００５２】
また、容量電極とコモン電極との間の電圧に、画素電極の電圧変化分が考慮されているため、ＶｓｍａｘＬの電源としてＧＮＤを用いることができ、電源回路を削減することができる。さらに、スイッチング素子に表示データを供給するための信号線の電圧を、電圧変化分、高めに設定する必要がない。従って、例えば、信号線に電圧を供給するためのソースドライバを駆動するための電源電圧（Ｖａ）も、電圧変化分、高めに設定する必要がない。この結果、ソースドライバの消費電力の低減を図ることができる。
【００５３】
さらに、電源電圧（Ｖａ）を、電圧変化分、高めに設定する必要がないため、電圧変換率が良好になり、電源回路の効率の向上を図ることができる。
【００５４】
また、信号線の電圧を、電圧変化分、高めに設定する必要がないことにより、スイッチング素子を十分にＯＮできる電圧を確保することができ、スイッチング素子のオン電流（Ｉｏｎ）を大きくすることができる。
【００５５】
上記の液晶表示装置の駆動方法は、表示データをスイッチング素子に供給するためのソースドライバに電源電圧を供給すると共に、同じ電圧を、容量電極に供給することが好ましい。
【００５６】
上記の方法によれば、容量電極に電圧を供給するための回路（容量電源回路）を別途設けるのではなく、ソースドライバに電源電圧を供給する電源回路を用いることことができる。従って、液晶表示装置における電源回路を削減することができ、電源構成の簡略化を図ることができる。
【００５７】
上記の液晶表示装置の駆動方法は、極性が１フレーム毎に反転し、かつ、極性反転の位相が１ドット毎に交互にずれるように、液晶層に電圧を印加することが好ましい。
【００５８】
上記の方法によれば、ドット反転駆動法を用いることができ、フリッカーや輝度傾斜を防止することができる。従って、液晶表示装置において、表示品位の低下を伴うことなく、電源構成の簡略化および消費電力の低減を図ることができる。
【００５９】
上記の液晶表示装置の駆動方法は、スイッチング素子が破壊されて黒表示時に輝点が発生したときには、液晶層に、容量電極とコモン電極との電位差をもたせることで、輝点を黒点化することが好ましい。
【００６０】
上記の方法によれば、輝点を黒点化する（黒点化修正を行う）場合でも、表示品位および性能の低下を伴うことなく、電源構成の簡略化および消費電力の低減を図る液晶表示装置を提供することができる。
【００６１】
【発明の実施の形態】
本発明の実施の一形態について図１ないし図１０に基づいて説明すれば、以下の通りである。
【００６２】
図１は、本実施の形態に係る液晶表示装置の要部の構成を示す。本液晶表示装置は、ドット反転駆動法を採用する。また、同図に示すように、本液晶表示装置は、パネル（液晶パネル）１、ソースドライバ２、およびゲートドライバ３を備えている。
【００６３】
パネル１は、図示しない支持基板と、該支持基板に対向する対向基板との間に液晶が封入され、液晶層が形成されている。
【００６４】
支持基板はアクティブマトリクス基板であり、支持基板上には、画素電極１３がマトリクス状に形成されている。また、支持基板上には、画素電極１３毎にスイッチング素子であるＴＦＴ（ｔｈｉｎ　ｆｉｌｍ　ｔｒａｎｓｉｓｔｏｒ）２１が設けられている。
【００６５】
図１・２に示すように、各ＴＦＴ２１において、そのドレイン電極は画素電極１３が接続され、ゲート電極は、表示画面における水平方向（行方向）に並ぶＴＦＴ２１間で同じ走査線（ゲートライン）Ｇ（Ｇ１・Ｇ２…）に接続され、ソース電極は、垂直方向（列方向）に並ぶＴＦＴ２１間で同じ信号線（ソースライン）Ｓ（Ｓ１…）に接続されている。即ち、各行毎に設けられた走査線Ｇと、各列毎に設けられた信号線Ｓとは、画素電極１３の周囲において互いに直交するように配されている。
【００６６】
また、ＴＦＴ２１のドレイン電極は、図２に示すように、画素電極１３と共に、補助容量Ｃｃｓを構成する一方側の電極が個々に接続されている。各補助容量Ｃｃｓの他方側の電極（電位はＶｃｓ）は、補助容量電極線１２に接続されており、補助容量Ｃｃｓは、液晶層に印加される電圧を保持する役割を有している。
【００６７】
上記構成においては、ゲートドライバ３より走査線Ｇを介して走査信号が入力されることにより、走査線Ｇに接続された各ＴＦＴ２１のＯＮ／ＯＦＦが制御される。また、ＴＦＴ２１のＯＮ時には、ソースドライバ２より信号線Ｓを介してデータ信号（表示データ）が画素電極１３へと入力される。
【００６８】
また、対向基板上には、画素電極（電位はＶｄ）１３に液晶層を介して対向するようにコモン電極（対向電極、電位はＶｃｏｍ）が配されている。コモン電極はコモン電極線１１に接続されており、直流電圧が印加される。即ち、コモン電極線と画素電極１３との間には、液晶容量Ｃｌｃが形成される。
【００６９】
以下、液晶の駆動原理について説明する。
【００７０】
液晶表示装置は、画面を表示するために、時分割された表示データを、走査線Ｇ…に沿って順次走査する。
【００７１】
例えば、ある走査線Ｇを水平走査する場合、その走査線ＧにＴＦＴ２１をＯＮ状態にするゲート電圧（走査信号）が印加される。このとき、その他の走査線Ｇ…はＴＦＴ２１をＯＦＦ状態にするゲート電圧が印加されている。こうして、走査線Ｇの水平走査のときには、その走査線ＧのみのＴＦＴ２１がＯＮ状態となり、対応する信号線Ｓに印加されている電圧がソース電極からドレイン電極を経て、走査線Ｇの画素電極１３に加わる。このとき、画素電極１３に与えられた電荷が補助容量Ｃｃｓに蓄積される。また、コモン電極線１１に印加されている電圧がコモン電極により液晶層に印加される。
【００７２】
こうして画素電極１３に印加された画素電圧Ｖｄと、コモン電極に印加された電圧（コモン電圧）Ｖｃｏｍとの電位差Ｖｃｌｃによって、各々の画素電極１３上の液晶は駆動される。なお、本実施の形態に係る液晶表示装置の駆動回路については後に詳述する。
【００７３】
ところで、例えば、ノーマリーホワイト型であり、偏光板を用いるＴＮ（ｔｗｉｓｔｅｄ　ｎｅｍａｔｉｃ）液晶の場合、一般に、ＴＦＴが破壊により非導通となると、画素容量Ｃｌｃ、即ち液晶層には電圧が印加されず、液晶は偏光板が光を遮光する方向に光を偏光できない。このため、黒表示させた場合、破壊したＴＦＴが存在する画素だけが光を透過させた状態となり、これが輝点となる。
【００７４】
このように液晶に電圧が印加されない状態の輝点は、黒表示等の暗い画面を表示させた場合に非常に目立つこととなり、製品の価値を下げることとなる。
【００７５】
そこで、本実施の形態における液晶表示装置は、この輝点を黒点化（黒点に修正）するために、図７に示すように、画素容量Ｃｌｃおよび補助容量Ｃｃｓを結ぶ配線と、ＴＦＴ２１のドレイン電極との間をレーザで切断し、ＴＦＴ２１のドレイン電極と補助容量Ｃｃｓとをショートさせる。これにより、画素容量Ｃｌｃに、ＶｃｓとＶｃｏｍとの電位差を持たせることができる。
【００７６】
これにより、ＴＦＴ２１が破壊した場合であっても、画素容量Ｃｌｃには常にある任意の電圧が印加されることとなり、輝点にはならない。任意の電圧として、例えば、透過率が０％で黒表示となるＶｓｍａｘの電圧に近い電圧（輝点が目立たなくなる電位）が画素容量Ｃｌｃに印加されるように、Ｖｃｓ・Ｖｃｏｍ間の電位差をＶｓｍａｘ（後述する１／２（ＶｓｍａｘＨ−ＶｓｍａｘＬ））に近い電位差かそれ以上の電位差に設定する。即ち、Ｖｃｓ＝Ｖｃｏｍの場合は輝点となり、Ｖｃｓ≠ＶｃｏｍでＶｃｓ−Ｖｃｏｍ＝Ｖｓｍａｘの場合は黒点となる。
【００７７】
なお、パネル１を通る光量の割合（透過率）（％）と、信号線Ｓから液晶に印加する電圧Ｖｓ（Ｖ）との関係を図８に示す。同図に示すように、電圧Ｖｓが最大値をとる場合（Ｖｓｍａｘの場合）、透過率は略０％となり、黒表示となる。一方、電圧Ｖｓが最小値をとる場合（Ｖｓｍｉｎの場合）、透過率は略１００％となり、白表示となる。
【００７８】
ここで、ＴＦＴ２１近傍には、図５に示すように、ゲート・ドレイン間に寄生容量であるＣｇｄが存在する。従って、図６に示すように、非選択期間での画素電極１３は寄生容量Ｃｇｄを通して他の電極からの影響を受けることとなる。この影響による電圧変化ΔＶ（電圧変化分）は、寄生容量Ｃｇｄと、画素容量Ｃｌｃ＋補助容量Ｃｃｓとの分圧比で決定される。即ち、電圧変化ΔＶは、次式（１）
ΔＶ＝（ＶｇＨ−ＶｇＬ）（Ｃｇｄ／（Ｃｌｃ＋Ｃｃｓ＋Ｃｇｄ））　　　　（１）
で表される。
【００７９】
以下、本実施の形態に係る液晶表示装置において特徴的な構成である駆動回路について図１、図３、図４を用いて説明する。
【００８０】
図１に示すように、本液晶表示装置は、駆動回路として、映像データ処理回路（コントロールＩＣ）４、階調電源回路５、ソースドライバアナログ電源回路（アナログ電源回路−Ｓと称する）６、ゲートドライバアナログ電源回路（アナログ電源回路−Ｇと称する）７、および、Ｖｃｏｍ電源回路８を備えている。
【００８１】
映像データ処理回路４は、データ信号、制御信号、および、クロック信号をソースドライバ２に、制御信号とクロック信号とをゲートドライバ３に供給する。
【００８２】
階調電源回路５は、ソースドライバ２の出力電圧発生に用いられる階調電圧であって、Ｖｃｏｍに対してＨｉｇｈ側の電圧をソースドライバ２に供給する。なお、黒表示のときには、ＶｓｍａｘＨを供給する。
【００８３】
アナログ電源回路−Ｓ６は、必要な電源電圧（Ｖａ）をソースドライバ２に、アナログ電源回路−Ｇ７は、必要な電源電圧（ＶｇＨ、ＶｇＬ）をゲートドライバ３に供給する。また、アナログ電源回路−Ｓ６は、補助容量電極線１２に接続され、電圧（Ｖａ）を供給する。
【００８４】
Ｖｃｏｍ電源回路８は、コモン電圧Ｖｃｏｍをコモン電極線１１に供給する。
【００８５】
次に、ある画素のパネル内電位（Ｎフレームおよび（Ｎ＋１）フレーム）、およびパネル１への印加電圧（モジュール駆動電源出力（ＶｓｍａｘＨ、ＶｓｍａｘＬ、Ｖｃｏｍ、ＶｇＨ、ＶｇＬ、Ｖａ））について、図３を用いて説明する。
【００８６】
ここで、液晶にかかる電圧Ｖｃｌｃの極性は、１フレーム毎に反転する。また、本液晶表示装置はドット反転駆動法を採用するため、各画素の極性反転の位相を１ドット毎に交互にずらしている。
【００８７】
即ち、パネル１の信号線Ｓには、ＶｓｍａｘＨとＶｓｍａｘＬとが交互に入力される（図中、実線と一点鎖線）。なお、ＶｓｍａｘＨは階調電源回路５によってソースドライバ２に供給される。ＶｓｍａｘＬをソースドライバ２に供給するための配線は接地されている。
【００８８】
ソースドライバ２は、供給された電源電圧（Ｖａ）をＶｓｍａｘＨとして出力する。また、補助容量Ｃｃｓの補助容量電極線２１側の電極の電位ＶｃｓはＶａとなる。
【００８９】
ゲートドライバ３は、所定のタイミングで、各走査線Ｇに、ＴＦＴ２１をОＮするための電圧ＶｇＨ、または、ＴＦＴ２１をОＦＦするの電圧ＶｇＬを供給する。
【００９０】
また、コモン電圧Ｖｃｏｍは、奇数目フレームと偶数目フレームとにおいて、液晶層に印加される電圧が実効的に等しくなるように設定される。即ち、コモン電圧Ｖｃｏｍに対して、データ信号電圧（ＶｓｍａｘＨ、ＶｓｍａｘＬ）は両側に振れている。
【００９１】
なお、上述したように、輝点が発生した場合に黒点化修正を行うには、Ｖｃｓ・Ｖｃｏｍ間の電位差は１／２（ＶｓｍａｘＨ−ＶｓｍａｘＬ）かそれ以上必要となる。
【００９２】
以下、パネル１内の電位を、図４を用いて具体的に説明する。
【００９３】
黒表示時に、ソースドライバ２に必要な電源電圧Ｖａは９Ｖとする。このとき、データ信号電圧ＶｓｍａｘＨは９Ｖ、データ信号電圧ＶｓｍａｘＬは０Ｖとして、任意の水平期間中に信号線Ｓに交互に出力するとする。
【００９４】
また、寄生容量Ｃｇｄによる電圧変化ΔＶを１Ｖとすると、コモン電圧Ｖｃｏｍは次式（２）
Ｖｃｏｍ＝１／２（ＶｓｍａｘＨ＋ＶｓｍａｘＬ）−ΔＶ　　　　　（２）
となり、３．５Ｖとなる。
【００９５】
また、補助容量Ｃｃｓの電極に印加される電圧Ｖｃｓはコモン電圧Ｖｃｏｍに対して、４．５Ｖ（１／２（ＶｓｍａｘＨ−ＶｓｍａｘＬ））以上の電位差を有する必要があるため、電源電圧Ｖａを補助容量電極線１２に供給して、電圧Ｖｃｓを９Ｖ（Ｖａ）とする。
【００９６】
電圧（ゲート電位）ＶｇＨは、十分ＴＦＴ２１がＯＮする電位が必要であるため、電圧（ゲート電位）ＶｇＨと画素電圧Ｖｄとの電位差（ＶｇＨ−Ｖｄ）が、１５〜２０Ｖとなるような電圧とする。
【００９７】
電圧ＶｇＬは、十分ＴＦＴ２１がＯＦＦする電位が必要であるため、画素電圧Ｖｄと電圧ＶｇＬとの電位差（Ｖｄ−ＶｇＬ）が、−５〜−１０Ｖとなるような電圧とする。
【００９８】
即ち、液晶層に印加される電圧Ｖｃｌｃは、電位変動ΔＶの影響を受けたデータ信号電圧ＶｓｍａｘＨ・ＶｓｍａｘＬとコモン電圧Ｖｃｏｍとの電位差（Ｖｓｍａｘ＋・Ｖｓｍａｘ−）であり、４．５Ｖとなる。
【００９９】
ここで、従来技術である図１０に示す液晶表示装置のパネル１１１内の電位を、比較例として図９を用いて説明する。
【０１００】
図１０に示すように、比較例では、補助容量電極線１２に電圧を印加するための電源回路を削減するため、補助容量電極線１３２は接地されている。
【０１０１】
また、コモン電圧Ｖｃｏｍと容量電極電圧Ｖｃｓとの電位差（Ｖｃｏｍ−Ｖｃｓ）として、電位差（Ｖｓｍａｘ＋・Ｖｓｍａｘ−）に近い値、またはそれ以上の値を確保することを考慮すると、コモン電圧Ｖｃｏｍは４．５Ｖとなる。
【０１０２】
図９に示すように、データ信号電圧ＶｓｍａｘＨは、電圧変化ΔＶ（１Ｖ）分、マイナス側に引き込まれるため、９＋１＝１０（Ｖ）となる。これにより、電源電圧Ｖａも１０Ｖ必要となる。
【０１０３】
また、データ信号電圧ＶｓｍａｘＬは、電圧変化ΔＶ（１Ｖ）分、マイナス側に引き込まれるため、０＋１＝１（Ｖ）となる。このため、ＧＮＤをデータ信号電圧ＶｓｍａｘＬのための電源電圧として用いることができず、データ信号電圧ＶｓｍａｘＬ用の電源を別途設ける必要がある。
【０１０４】
しかしながら、本実施の形態の液晶表示装置は、各画素に、ＴＦＴ２１と、ＴＦＴ２１に接続された画素電極１３と、液晶層を介して画素電極１３と対向し、画素電極１３と共に液晶を駆動するコモン電極を有する共通電極線１１と、画素電極１３と共にＴＦＴ２１に一方の電極が接続され、液晶層に印加される電圧を保持する補助容量Ｃｃｓとを備えている。
【０１０５】
また、補助容量Ｃｃｓの他方の電極に接続された容量電極を有する補助容量電極線１２とコモン電極との間の電圧が、少なくとも、液晶層に印加される電圧Ｖｃｌｃに、ＴＦＴ２１周辺の寄生容量Ｃｇｄにより発生する画素電極１３の電圧変化分である電圧変化ΔＶを加えた値を有するように、補助容量電極線１２に電圧を供給するアナログ電源回路−Ｓ６を備えている。
【０１０６】
上記の構成によれば、Ｖｃｓ・Ｖｃｏｍ間の電位差が、少なくとも、液晶層に印加される電圧Ｖｃｌｃに、ＴＦＴ２１周辺の寄生容量Ｃｇｄにより発生する画素電極１３の電圧変化ΔＶを加えた値を有することにより、輝点黒点化修正を行った場合においても、表示品位および性能の低下を防止することができる。
【０１０７】
また、Ｖｃｓ・Ｖｃｏｍ間に、画素電極１３の電圧変化ΔＶが考慮されているため、ＴＦＴ２１にデータ信号を供給するための信号線Ｓの電圧（コモン電極の電位よりもＬｏｗ側、ＶｓｍａｘＬ）を基準に電源構成を設計することができる。従って、ＶｓｍａｘＬの電源としてＧＮＤを用いることができ、電源回路を削減することができる。
【０１０８】
さらに、Ｖｃｓ・Ｖｃｏｍ間に、画素電極１３の電圧変化ΔＶが考慮されているため、ＴＦＴ２１にデータ信号を供給するための信号線Ｓの電圧を、電圧変化ΔＶ分、高めに設定する必要がない。従って、例えば、信号線Ｓに電圧を供給するためのソースドライバ２を駆動するための電源電圧Ｖａも、電圧変化ΔＶ分、高めに設定する必要がない。この結果、ソースドライバ２の消費電力Ｗは、Ｗ＝Ｖａ×Ｉａとなり、電圧変化ΔＶに対応する分、消費電力のの低減を図ることができる。ここで、Ｉａとは、電源電圧Ｖａの電源回路に流れる電流である。
【０１０９】
ところで、通常、アナログ電源回路は、セット側から供給されるＶｃｃ電源から電圧変換を行い、Ｖａ電源として供給している。また、液晶表示装置に供給されるＤＣ電源は、ソースドライバを駆動するための電源電圧Ｖａの半分以下である。
【０１１０】
しかしながら、電源電圧Ｖａを、電圧変化ΔＶ分、高めに設定する必要がないため、電圧変換率が良好になり、電源回路の効率の向上を図ることができる。
【０１１１】
さらに、信号線Ｓの電圧を、電圧変化ΔＶ分、高めに設定する必要がないことにより、例えば、ＴＦＴ２１を走査する走査線ＧをＯＮするのに必要な電圧（ＶｇＨ）と、信号線Ｓに供給される電圧（Ｖｓ）との差は、この電圧変化ΔＶ分、大きくすることができる。従って、ＴＦＴ２１を十分にＯＮできる電圧を確保することができ、ＴＦＴ２１のオン電流（Ｉｏｎ）を大きくすることができる。
【０１１２】
また、アナログ電源回路−Ｓ６は、表示データをＴＦＴ２１に供給するためのソースドライバ２に電源電圧を供給する電源回路と、補助容量電極線１２に電圧を供給するための電源回路とを兼ねている。
【０１１３】
上記の構成によれば、補助容量電極線１２に電圧を供給するための電源回路（容量電源回路）を別途設けるのではなく、容量電源回路としてソースドライバ２に電源電圧を供給する電源回路を用いることにより、電源回路を削減することができる。従って、電源構成の簡略化を図ることができる。
【０１１４】
また、表示データをＴＦＴ２１に供給するためのソースドライバ２に、該ソースドライバ２の出力電圧発生に用いられる階調電圧である高階調電圧（ＶｓｍａｘＨ）を発生させる階調電源回路（高階調電源回路）５と、階調電圧であり高階調電圧とは異なる低階調電圧（ＶｓｍａｘＬ）を発生させる低階調電源回路とを備え、低階調電源回路は接地（ＧＮＤ）され、両階調電源回路は、交互に電圧をＴＦＴ２１に供給する。
【０１１５】
上記の構成によれば、低階調電源回路を削減することができ、電源構成の簡略化を図ることができる。
【０１１６】
【発明の効果】
本発明の液晶表示装置は、以上のように、補助容量の他方の電極に接続された容量電極とコモン電極との間の電圧が、少なくとも、液晶層に印加される電圧に、スイッチング素子周辺の寄生容量により発生する画素電極の電圧変化分を加えた値を有するように、容量電極に電圧を供給する容量電源回路を備える構成である。
【０１１７】
これにより、輝点黒点化修正を行った場合においても、表示品位および性能の低下を防止することができる。
【０１１８】
また、容量電極とコモン電極との間の電圧に、画素電極の電圧変化分が考慮されているため、スイッチング素子にデータ信号を供給するための信号線の電圧（コモン電極の電位よりもＬｏｗ側、ＶｓｍａｘＬ）を基準に電源構成を設計することができる。従って、ＶｓｍａｘＬの電源としてＧＮＤを用いることができ、電源回路を削減することができる。
【０１１９】
さらに、容量電極とコモン電極との間の電圧に、画素電極の電圧変化分が考慮されているため、例えば、ソースドライバを駆動するための電源電圧（Ｖａ）も、電圧変化分、高めに設定する必要がない。この結果、ソースドライバの消費電力の低減を図ることができる。また、電圧変換率が良好になり、電源回路の効率の向上を図ることができる。
【０１２０】
また、信号線の電圧を、電圧変化分、高めに設定する必要がないことにより、スイッチング素子のオン電流（Ｉｏｎ）を大きくすることができるといった効果を奏する。
【０１２１】
本発明の液晶表示装置は、容量電源回路として、表示データをスイッチング素子に供給するためのソースドライバに電源電圧を供給する電源回路を用いる構成である。
【０１２２】
これにより、電源回路を削減することができ、電源構成の簡略化を図ることができるといった効果を奏する。
【０１２３】
本発明の液晶表示装置は、液晶層の電圧の極性が１フレーム毎に反転し、かつ、極性反転の位相は１ドット毎に交互にずれる構成である。
【０１２４】
これにより、ドット反転駆動法を用いることができ、フリッカーや輝度傾斜を防止することができる。従って、表示品位の低下を伴うことなく、電源構成の簡略化および消費電力の低減を図ることができるといった効果を奏する。
【０１２５】
本発明の液晶表示装置は、表示データをスイッチング素子に供給するためのソースドライバの出力電圧発生に用いられる階調電圧である高階調電圧（ＶｓｍａｘＨ）を発生させる高階調電源回路（階調電源回路）と、階調電圧であり高階調電圧とは異なる低階調電圧（ＶｓｍａｘＬ）を発生させる低階調電源回路とを備え、低階調電源回路は接地（ＧＮＤ）され、両階調電源回路は、交互に電圧を上記スイッチング素子に供給する構成である。
【０１２６】
これにより、低階調電源回路を削減することができ、電源構成の簡略化を図ることができるといった効果を奏する。
【０１２７】
本発明の液晶表示装置の駆動方法は、以上のように、画素電極と共にスイッチング素子に一方の電極が接続された補助容量の他方の電極に接続された容量電極に、容量電極とコモン電極との間の電圧が、少なくとも、液晶層に印加される電圧にスイッチング素子周辺の寄生容量により発生する画素電極の電圧変化分を加えた値を有するように、電圧を供給する構成である。
【０１２８】
これにより、輝点黒点化修正を行った場合においても、表示品位および性能の低下を防止することができる。
【０１２９】
また、容量電極とコモン電極との間の電圧に、画素電極の電圧変化分が考慮されているため、ＶｓｍａｘＬの電源としてＧＮＤを用いることができ、電源回路を削減することができる。
【０１３０】
さらに、スイッチング素子に表示データを供給するための信号線の電圧を、電圧変化分、高めに設定する必要がない。従って、例えば、ソースドライバの消費電力の低減を図ることができる。また、電圧変換率が良好になり、電源回路の効率の向上を図ることができる。
【０１３１】
また、スイッチング素子を十分にＯＮできる電圧を確保することができ、スイッチング素子のオン電流（Ｉｏｎ）を大きくすることができるといった効果を奏する。
【０１３２】
本発明の液晶表示装置の駆動方法は、表示データをスイッチング素子に供給するためのソースドライバに電源電圧を供給すると共に、同じ電圧を、容量電極に供給する構成である。
【０１３３】
これにより、液晶表示装置における電源回路を削減することができ、電源構成の簡略化を図ることができるといった効果を奏する。
【０１３４】
本発明の液晶表示装置の駆動方法は、極性が１フレーム毎に反転し、かつ、極性反転の位相が１ドット毎に交互にずれるように、液晶層に電圧を印加する構成である。
【０１３５】
これにより、ドット反転駆動法を用いることができ、フリッカーや輝度傾斜を防止することができる。従って、液晶表示装置において、表示品位の低下を伴うことなく、電源構成の簡略化および消費電力の低減を図ることができるといった効果を奏する。
【０１３６】
本発明の液晶表示装置の駆動方法は、スイッチング素子が破壊されて黒表示時に輝点が発生したときには、液晶層に、容量電極とコモン電極との電位差をもたせることで、輝点を黒点化する構成である。
【０１３７】
これにより、輝点を黒点化する（黒点化修正を行う）場合でも、表示品位および性能の低下を伴うことなく、電源構成の簡略化および消費電力の低減を図る液晶表示装置を提供することができるといった効果を奏する。
【図面の簡単な説明】
【図１】本発明の実施の一形態に係る液晶表示装置の要部の構成を示す等価回路図である。
【図２】パネルにおける画素の構成を示す図である。
【図３】図１に示す液晶表示装置におけるある画素のパネル内電位、およびパネルへの印加電圧について示す図である。
【図４】パネル内の電位を示す図である。
【図５】パネル内の容量結線を示す図である。
【図６】液晶層に印加される電圧を示す図である。
【図７】輝点の黒点化修正を示す図である。
【図８】電圧と透過率との関係を示すグラフである。
【図９】比較例の液晶表示装置におけるパネル内の電位を示す図である。
【図１０】従来の液晶表示装置の要部の構成を示す等価回路図である。
【図１１】図１０に示す液晶表示装置におけるある画素のパネル内電位、およびパネルへの印加電圧について示す図である。
【符号の説明】
１　　パネル
２　　ソースドライバ
３　　ゲートドライバ
５　　階調電源回路（高階調電源回路）
６　　ソースドライバアナログ電源回路（容量電源回路、電源回路）
７　　ゲートドライバアナログ電源回路
８　　Ｖｃｏｍ電源回路
１１　　コモン電極線
１２　　補助容量電極線（容量電極）
１３　　画素電極
２１　　ＴＦＴ（スイッチング素子）
Ｖｃｌｃ　　　　液晶層の電圧
ＶｓｍａｘＨ、ＶｓｍａｘＬ　　　　データ信号電圧
Ｖｃｏｍ　　　　コモン電圧
Ｖｄ　　　　画素電圧
Ｃｌｃ　　液晶容量
Ｃｇｄ　　寄生容量
Ｃｃｓ　　補助容量
【図１】
2004117753.tif 000003
【図２】
2004117753.tif 000004
【図３】
2004117753.tif 000005
【図４】
2004117753.tif 000006
【図５】
2004117753.tif 000007
【図６】
2004117753.tif 000008
【図７】
2004117753.tif 000009
【図８】
2004117753.tif 000010
【図９】
2004117753.tif 000011
【図１０】
2004117753.tif 000012
【図１１】
2004117753.tif 000013